(57)【要約】【課題】  撮影後すぐに注文受付及び画像検定を行なうことができ、かつ無駄な原画像データの送信を行なわない画像処理システムを提供する。【解決手段】  デジタルカメラ２は、撮影によりＣＣＤ−ＲＡＷデータである原画像データと縮小画像データとを生成し、カメラ制御用ＰＣ３に送信する。カメラ制御用ＰＣ３は、縮小画像データを注文用ＰＣ４と画像検定用ＰＣ５に転送する。注文用ＰＣ４及び画像検定用ＰＣ５は、画像変換処理を待つことなく、縮小画像データを使用してプリント注文の受け付けと画像検定とを行なう。カメラ制御用ＰＣ３は、注文用ＰＣ４でプリント注文を受けた原画像データだけを画像変換用ＰＣ６に送信する。【選択図】        図１
2005277944.tif 000002
【特許請求の範囲】
【請求項１】
撮影により、原画像データと、この原画像データを縮小した縮小画像データとを生成する撮影装置から原画像データを入力し、該原画像データに対し、変換パラメータに基づく画像変換処理を施してプリント用画像データを生成する画像処理方法において、
前記縮小画像データを入力し、
縮小画像データの画像を再生表示し、
表示された画像の中から、プリントする画像の注文を受け付け、
プリントの注文を受けた画像に対応する縮小画像データに対し、標準調整パラメータに基づいて画像調整処理を施し、
この標準調整パラメータを調整して変更調整パラメータを生成し、
プリントの注文を受けた画像に対応する前記原画像データに対し、変更調整パラメータ、及び／または予め設定された変換パラメータに基づく画像変換処理を施してプリント用画像データを生成することを特徴とする画像処理方法。
【請求項２】
前記プリント注文受付時に、縮小画像データの画像に対する画像調整の注文を受け付け、この注文を受けた縮小画像データに対し、注文を受けた調整内容と標準調整パラメータとに基づいて画像調整処理を施すことを特徴とする請求項１記載の画像処理方法。
【請求項３】
前記原画像データは、プリントの注文を受けた画像に対応するものだけが、撮影装置から読み出されることを特徴とする請求項１または２記載の画像処理方法。
【請求項４】
撮影により、原画像データと、この原画像データを縮小した縮小画像データとを生成する撮影装置から原画像データを入力し、該原画像データに対し、変換パラメータに基づく画像変換処理を施して、プリント用画像データを生成する画像処理装置において、
前記原画像データ及び縮小画像データを入力する画像入力手段と、
縮小画像データの画像を再生表示する縮小画像再生表示手段と、
表示された縮小画像データの画像の中からプリントする画像の注文を受け付ける注文手段と、
プリントの注文内容に基づいて注文データを生成する注文データ生成手段と、
注文データに基づき、プリントの注文を受けた画像に対応する縮小画像データに対し、標準調整パラメータに基づいて画像調整処理を施す縮小画像データ調整手段と、
標準調整パラメータを調整して変更調整パラメータを生成するパラメータ調整手段と、  注文データに基づき、プリントの注文を受けた画像に対応する前記原画像データに対し、変更調整パラメータ、及び／または予め設定された変換パラメータに基づく画像変換処理を施してプリント用画像データを生成するプリント用画像データ生成手段とを備えたことを特徴とする画像処理装置。
【請求項５】
前記注文手段は、プリントの注文とともに画像調整の注文を受け付け、前記注文データ生成手段は、注文された調整内容に基づいて調整データを生成し、前記縮小画像データ調整手段は、調整データと、変更調整パラメータとに基づいて縮小画像データに画像調整処理を施すことを特徴とする請求項４記載の画像処理装置。
【請求項６】
撮影した被写体の原画像データと、この原画像データを縮小した縮小画像データとを生成する撮影装置と、
請求項４または５記載の画像処理装置とを備えたことを特徴とする画像処理システム。
【請求項７】
前記撮影装置は、注文データに基づいて、プリントの注文を受けた画像に対応する原画像データだけをプリント用画像データ生成手段に入力するデータ出力制御手段を備えていることを特徴とする請求項６記載の画像処理システム。
【請求項８】
撮影装置から縮小画像データを入力する縮小画像入力手段と、入力された縮小画像データの画像を再生表示する縮小画像再生表示手段と、表示された縮小画像データの画像の中からプリントする画像の注文を受け付ける注文手段と、プリントの注文内容に基づいて注文データを生成する注文データ生成手段として、コンピュータ装置を機能させることを特徴とする画像処理プログラム。
【請求項９】
注文データに基づき、プリントの注文を受けた画像に対応する縮小画像データに対し、標準調整パラメータに基づいて画像調整処理を施す縮小画像データ調整手段と、調整パラメータを調整して変更調整パラメータを生成するパラメータ調整手段として、コンピュータ装置を機能させることを特徴とする請求項８記載の画像処理プログラム。
【請求項１０】
撮影装置から原画像データを入力する原画像入力手段と、入力された原画像データに対し、変更調整パラメータ、及び／または予め設定された変換パラメータに基づく画像変換処理を施してプリント用画像データを生成するプリント用画像データ生成手段として、コンピュータ装置を機能させることを特徴とする請求項９記載の画像処理プログラム。
【発明の詳細な説明】
【技術分野】
【０００１】
本発明は、デジタルカメラ等の撮影装置から送られる原画像データに基づいてデジタル画像を再生表示しながら、各種の画像処理を行う画像処理方法、及び画像処理装置、及び画像処理システム、及び画像処理プログラムに関する。
【背景技術】
【０００２】
業務用に使用されるデジタルカメラとして、撮影時に原画像データ（ＣＣＤ−ＲＡＷデータ）を出力するものがある。原画像データは、デジタルカメラ内に組み込まれたＣＣＤやＣＭＯＳ等の撮像デバイスから出力された無加工のデータであり、一般ユーザー向けのデジタルカメラから出力されるJPEG(Joint Photographic Coding Expert Group)形式の画像データに比べ、データサイズが数倍と大きくなってしまうが、撮影後に色情報等を落とすことなく、ホワイトバランスの補正や露出補正等を行なうことができるため、高画質な画像を必要とする業務用の撮影に多用されている。
【０００３】
原画像データは、そのままでは、パーソナルコンピュータ（ＰＣ）の画面上に画像を表示したり、画像のプリントに使用することはできない。そのため、デジタルカメラから出力された原画像データは、ＰＣに入力され、このＰＣにインストールされた画像変換プログラムによって、表示及びプリントの可能な、例えばTIFF(Tagged Image File Format)形式のプリント用画像データに画像変換処理（一般に、現像処理とも称される）される。また、この画像変換処理時に、ホワイトバランス補正や露出補正等の変換パラメータと、色調や階調、コントラスト等の調整パラメータとに基づいて画像補正が実施される。
【０００４】
また、原画像データを出力するデジタルカメラのなかには、原画像データと同時に、縮小されたＪＰＥＧ画像データ（以下、縮小画像データと呼ぶ）を出力するものがある（例えば、非特許文献１参照）。
【０００５】
例えば、写真館では、上記原画像データを出力するデジタルカメラを使用して、スタジオ内で顧客の撮影を行なった後に、注文受付、画像検定及び画像変換処理、プリント処理、納品という作業が行なわれている。
【０００６】
注文受付は、撮影により得た原画像データを画像変換処理し、変換されたプリント用画像データを注文用ＰＣのモニタ上に表示して顧客に閲覧させ、プリントする画像を顧客に選択してもらう作業である。この注文受付では、プリントする画像、プリント枚数やプリントサイズの他に、トリミング範囲や画像の向き、画像の色調、明るさ等の画像調整に対する要望も受け付けられる。注文完了後には、顧客の情報と、注文内容とから注文データが作成される。
【０００７】
画像検定及び画像変換処理は、検定用ＰＣにおいて、原画像データを変換パラメータと調整パラメータとに基づいてプリント用画像データに変換し、このプリント用画像データを観察しながら変換パラメータと調整パラメータとを変更し、より高画質な画像を形成する作業である。原画像データは、変換パラメータと調整パラメータとが変更される毎に画像変換処理され、新たなプリント用画像データが生成される。オペレータは、この新たに生成されたプリント用画像データを観察し、納得のいく画像が得られるまでパラメータの変更と画像変換処理とを繰り返す。プリント処理では、検定作業の終了したプリント用画像データを注文データに基づいてプリントする。納品では、完成したプリント写真が顧客に渡される。
【０００８】
【非特許文献１】”ＥＯＳ−１Ｄｓ”、［ｏｎｌｉｎｅ］、キャノン株式会社、［平成１６年３月９日検索］、インターネット＜ＵＲＬ：http://cweb.canon.jp/camera/eosd/1ds/catalog/index03.html ＞
【発明の開示】
【発明が解決しようとする課題】
【０００９】
原画像データは、各色毎に例えば１２ビットあるいは１６ビットの階調値で表される画素データから構成されるため、データサイズが非常に大きく、画像変換処理に長時間を要する。そのため、撮影完了後に複数枚の原画像データの画像変換処理を行なうと、注文受付をすぐに行なうことができず、顧客に待ってもらう必要があった。
【００１０】
また、画像検定及び画像変換処理では、一つの原画像データに対し複数回の画像変換処理を行なわなくてはならない場合もあり、時間がかかっていた。更に、写真館のスタジオは、撮影条件が安定しているため、同じスタジオ内で撮影した原画像データの検定作業は、ほぼ同じ内容となる。しかし、従来の画像検定では、オペレータが各画像データに対して検定作業を行なわなければならないため、非効率であった。
【００１１】
また、原画像データは、データサイズが大きいため、デジタルカメラから注文用ＰＣ及び検定用ＰＣに原画像データを転送する際にも時間がかかり、この転送中は撮影を行なうことができない。特に、注文用ＰＣに転送された原画像データが全て注文されるとは限らないため、転送が無駄になることも少なくない。
【００１２】
本発明は上記事情に鑑みなされたものであり、撮影後すぐに注文受付及び画像検定を行なうことができ、かつ不必要な原画像データの転送を行なわない画像処理方法、及び装置、及びシステム、及びプログラムを提供することを目的とする。
【課題を解決するための手段】
【００１３】
本発明の画像処理方法は、原画像データとともに生成される縮小画像データを注文受付に使用した。また、縮小画像データを画像検定にも使用し、この縮小画像データに対する画像検定結果に基づいて、原画像データに画像変換処理を行なうようにした。更に、注文受け付け時に、画像に対する画像調整を注文された場合には、その調整内容を縮小画像データの画像調整処理に反映させるようにした。また、画像変換処理に使用する変換パラメータの調整を行なわずに、予め設定されたものを使用するようにした。更に、プリント注文された原画像データだけを撮影装置から読み出すようにした。
【００１４】
本発明の画像処理装置は、原画像データ及び縮小画像データを入力する画像入力手段と、縮小画像データの画像を再生表示する縮小画像再生表示手段と、表示された縮小画像データの画像の中からプリントする画像の注文を受け付ける注文手段と、プリントの注文内容に基づいて注文データを生成する注文データ生成手段と、プリントの注文を受けた画像に対応する縮小画像データに対し標準調整パラメータに基づいて画像調整処理を施す縮小画像データ調整手段と、標準調整パラメータを調整して変更調整パラメータを生成するパラメータ調整手段と、プリントの注文を受けた画像に対応する原画像データに対し、変更調整パラメータ、及び／または予め設定された変換パラメータに基づく画像変換処理を施してプリント用画像データを生成するプリント用画像データ生成手段とを備えた。
【００１５】
また、注文手段によって、縮小画像データに対する画像調整の注文を受け付け、この注文内容に基づいて注文データ生成手段により調整データを生成し、この調整データと、変更調整パラメータとに基づいて、縮小画像データ調整手段により、縮小画像データに画像調整処理を施すようにした。
【００１６】
本発明の画像処理システムは、撮影した被写体の原画像データとこの原画像データを縮小した縮小画像データとを生成する撮影装置と、上述した画像処理装置とから構成し、撮影装置から画像処理装置への原画像データの転送は、プリント注文されたものだけを転送するようにした。
【００１７】
更に、上記画像処理装置を構成する各手段を実現するために、コンピュータ装置を機能させる画像処理プログラムによって構成することとした。
【発明の効果】
【００１８】
本発明によれば、撮影完了後すぐに、縮小画像データによって注文受付を行なうことができるので、写真館等で撮影後に顧客を待たせることはない。また、縮小画像データによって画像調整の検定だけを行なうようにしたので、時間のかかる画像変換処理を待たずに、撮影後すぐに画像検定を行なうことができる。
【００１９】
更に、注文を受けた画像については、縮小画像データの画像調整処理時に調整データを反映できるようにしたので、顧客の要望を確実に盛り込むことができる。更に、原画像データは、プリント注文を受けたものだけを、撮影装置から画像処理装置に入力するようにしたので、無駄なデータ転送時間を減らすことができる。
【発明を実施するための最良の形態】
【００２０】
図１は、本発明を実施した画像処理システムの構成を示すブロック図である。この画像処理システムは、例えば写真館等で使用される。その構成は、スタジオ内で顧客の撮影に使用されるデジタルカメラ２と、このデジタルカメラ２を制御するとともに、デジタルカメラ２で生成された画像データを記憶して他のＰＣに転送するカメラ制御用ＰＣ３と、このカメラ制御用ＰＣ３から転送された画像データを使用して、顧客からプリントの注文を受け付ける注文用ＰＣ４と、注文を受けた画像データがより高画質になるように検定する画像検定用ＰＣ５と、プリント用の画像データを生成する画像変換用ＰＣ６と、プリント用の画像データに基づいてプリントを作成するプリンタ７とから構成されている。
【００２１】
図２は、デジタルカメラ２とカメラ制御用ＰＣ３との構成を示すブロック図である。デジタルカメラ２の各部は、データバス１０を介して互いに接続され、ＣＰＵ１１によってその動作が総括的に制御される。ＲＯＭ１２には、デジタルカメラ２を動作させるためのプログラムが記録されている。撮像部１４には、周知の撮影レンズやＣＣＤ等が備えられ、被写体の光学像を光電変換してデジタルの画像データを生成する。
【００２２】
絞りやシャッタ速度などの撮影条件は、ＬＣＤ１７に表示される操作メニューを確認しながら、操作部１８に設けられた各種の設定ボタンを操作することで設定される。なお、ＬＣＤ１７は、撮影モード時にはビューファインダとして使用され、再生モード時には画像データの再生表示に使用される。
【００２３】
撮像部１４から出力された画像データは、ＲＡＭ１３にバッファされる。この画像データは、ホワイトバランス処理等の画像補正がなされていない原画像データ（ＣＣＤ−ＲＡＷデータ）であり、各色毎に１２ビットあるいは１６ビットで表される階調値を持った多数の画素データから構成される。
【００２４】
画像処理回路２１は、予め機種毎に設定された条件にてホワイトバランス（ＷＢ）処理や階調変換処理等を行い、画像補正済みの画像データを出力する。圧縮／伸張処理回路２２は、画像補正済みの画像データをＪＰＥＧで定められたフォーマットに従い圧縮して、ＪＰＥＧ画像データを生成する。
【００２５】
このデジタルカメラ２は、出力する画像データの種類を選択できるようになっている。例えば、原画像データだけを出力することもできるし、ＪＰＥＧ画像データだけを出力することもできる。また、原画像データと縮小画像データ（ＪＰＥＧデータやビットマップデータ等）とを同時に出力することもできる。この２種類の画像データを同時に出力する時には、原画像データを縮小画像データに変換し、更に必要に応じて間引くことにより、例えば１２８０×９６０ピクセル程度になる。
【００２６】
図３に示すように、原画像データと縮小画像データは、メディアコントローラ２５によって、記録メディア２６内に形成された画像フォルダ２７内に記憶される。同時に出力された原画像データと縮小画像データには、例えば、「ＤＳＣ０００１．ｒａｆ」と「ＤＳＣ０００１．ｊｐｇ」というように、拡張子の異なる同じファイル名が付与されている。そのため、ファイル名を確認することによって、その関連性が分かるようになっている。
【００２７】
デジタルカメラ２とカメラ制御用ＰＣ３は、両者の入出力Ｉ／Ｆ２８及び２９の間が通信ケーブル３０によって接続されている。この接続により、原画像データ及び縮小画像データや、カメラ制御用ＰＣ３でデジタルカメラ２の撮影条件を設定すると生成される撮影制御データは、デジタルカメラ２とカメラ制御用ＰＣ３との間で送受信される。入出力Ｉ／Ｆ２８，２９としては、例えばＵＳＢ(Universal Serial Bus)や、ＩＥＥＥ１３９４に準拠したものが用いられる。なお、通信ケーブル３０の代わりに、無線通信手段を用いてデータの接受を行ってもよい。
【００２８】
記録メディア２６内に記録された原画像データ及び縮小画像データは、デジタルカメラ２またはカメラ制御用ＰＣ３での操作によって、デジタルカメラ２からカメラ制御用ＰＣ３に送信される。そのため、デジタルカメラ２の記録メディア２６の記録容量が少ない場合でも、連続して撮影を行なうことができる。なお、詳しく後述するが、カメラ制御用ＰＣ３にインストールされているカメラ制御用プログラムの設定によって、デジタルカメラ２で生成された原画像データ及び縮小画像データを記録メディア２６に記録せずに、カメラ制御用ＰＣ３に直接転送することもできる。
【００２９】
カメラ制御用ＰＣ３には、例えば、市販タイプのパーソナルコンピュータが用いられており、ハードディスクドライブ等からなる外部記憶装置３３には、カメラ制御用ＰＣ３の動作を制御するオペレーティングシステム（ＯＳ）とともに、デジタルカメラ２の制御に使用されるカメラ制御用プログラムがインストールされている。
【００３０】
カメラ制御用ＰＣ３の電源が投入されると、外部記憶装置３３に記憶されたＯＳがＲＡＭ３６にロードされ、カメラ制御用ＰＣ３が起動する。また、キーボード３７やマウス３８を操作してカメラ制御プログラムを実行すると、同様にカメラ制御プログラムもＲＡＭ３６にロードされて実行される。
【００３１】
カメラ制御用ＰＣ３及びカメラ制御用プログラムは、デジタルカメラ２から送信された縮小画像データの画像をモニタ４１に再生表示するとともに、キーボード３７やマウス３８などの入力デバイスからの操作信号に応答して、デジタルカメラ２の各種設定や制御を行なう。カメラ制御用ＰＣ３の各部は、データバス４２を介して互いに接続され、ＣＰＵ４３によってその動作が総括的に制御される。デジタルカメラ２から送られた原画像データと縮小画像データは、入出力Ｉ／Ｆ２９及びデータバス４２を介して外部記憶装置３３に記録される。
【００３２】
カメラ制御プログラムは、例えば、カメラ制御用ＰＣ３でデジタルカメラ２を制御して、撮影条件の設定やシャッタレリーズ等を行ない、画像データをカメラ制御用ＰＣ３に記憶するＰＣコントロールモードと、デジタルカメラ２で撮影条件の設定やシャッタレリーズ等を行ない、画像データを記録メディア２６に記憶する標準カメラコントロールモードと、デジタルカメラ２で撮影条件の設定やシャッタレリーズ等を行ない、画像データをカメラ制御用ＰＣ３に記憶する拡張カメラコントロールモード等を備えている。
【００３３】
カメラ制御用ＰＣ３は、内蔵したネットワークアダプタ４５によって、ＬＡＮ（local area network) に接続されている。注文用ＰＣ４，画像検定用ＰＣ５，画像変換用ＰＣ６には、カメラ制御用ＰＣ３と同様に市販タイプのパーソナルコンピュータが用いられており、やはりネットワークアダプタによってＬＡＮに接続されている。カメラ制御用プログラムは、デジタルカメラ３から送信された縮小画像データを注文用ＰＣ４と画像検定用ＰＣ５とに転送する。また、注文用ＰＣ４によってプリントの注文を受けた画像に対応する原画像データは、画像変換用ＰＣ６に転送する。なお、各ＰＣ４〜６の構成は、カメラ制御用ＰＣ３とほぼ同様であるため、以下では構成についての説明を省略する。
【００３４】
注文用ＰＣ４の外部記憶装置には、撮影された画像の閲覧とプリントの注文選択とを顧客と一緒に行なう注文用プログラムがインストールされている。図４及び図５に示すように、この注文用プログラムは、モニタ上にカメラ制御用ＰＣ３から入力された複数の縮小画像データを一覧表示するプリント注文画面４８と、プリント注文画面４８で選択された縮小画像データを拡大表示する画像調整画面５０とを表示する。これらの画面での操作は、マウスやキーボードによって行なわれる。
【００３５】
上記プリント注文画面４８と画像調整画面５０とは、切替え操作によっていずれか一方が選択的にモニタ上に表示される。この切替え操作は、プリント注文画面４８において、右上に配置された「画像調整」ボタン５３をマウスでクリックすると、プリント注文画面４８から画像調整画面５０に切り換わる。同様に、画像調整画面５０において、右上に配置された「プリント注文」ボタン５４をマウスでクリックすると、画像調整画面５０からプリント注文画面４８に切り換わる。
【００３６】
プリント注文画面４８は、基本データ表示枠５７と、複数の縮小画像データの画像を表示する画像表示枠５８と、プリント指定枠５９と、プリント料金表示枠６０とから構成されている。基本データ表示枠５７は、顧客の氏名や連絡先、ユーザーＩＤ番号や受付番号とともに、受付日時とプリント仕上がり日時等が表示される。顧客の氏名や連絡先、ユーザーＩＤ番号等は、初めての顧客の場合には新たに入力され、過去に利用経験のある顧客の場合には、注文用ＰＣ４内に記憶された顧客データーベースから読み出される。
【００３７】
画像表示枠５８には、カメラ制御用ＰＣ３から入力された複数の縮小画像データの画像６３〜６６が表示される。各画像６３〜６６の上部には、その画像の縮小画像データの拡張子より前のファイル名が表示される、ファイル名表示部６３ａ〜６６ａが設けられている。また、各画像６３〜６６の下部には、注文されたプリント枚数とプリントサイズとが表示される、枚数表示部６３ｂ〜６６ｂと、サイズ表示部６３ｃ〜６６ｃとが設けられている。
【００３８】
各画像に対するプリント注文を行なう場合には、マウスによってその画像、例えば画像６５をクリックして選択する。これにより、選択された画像６５の周囲の枠の濃度が濃く表示されるので、選択中の画像を容易に判別することができる。なお、画像表示枠５８とプリント指定枠５９との間に配置されたスクロールバー６９を操作することによって、画像表示枠５８をスクロール表示させることができ、４つ以上の画像を閲覧することができる。
【００３９】
プリント指定枠５９には、例えば、全紙〜八切りまでのプリントサイズを選択するサイズ選択エリア５９ａと、プリント枚数を指定する枚数選択エリア５９ｂとが設けられている。上部には、選択中の画像のファイル名が表示されるファイル名表示部５９ｃが設けられている。プリント料金表示枠６０には、指定されたプリントサイズ及びプリント枚数のリストと、このリストに応じて自動計算されたプリント料金とが表示される。
【００４０】
画像表示枠５８内で所定の画像をダブルクリックしたり、画像表示枠５８内で画像を選択しておいて「画像調整」ボタン５３をクリックすると、図４に示す画像調整画面５０に切り換わる。この画像調整画面５０は、選択した画像、例えば画像６５が拡大表示される拡大表示枠７２と、この拡大表示枠７２に表示された画像のファイル名を表示するタイトルバー７３と、画像調整枠７４とからなる。
【００４１】
画像調整枠７４には、カラーバランスやブライトネス、コントラストといった各種調整項目を変更する多数の調整部７７ａ〜７７ｅが設けられている。各調整部７７ａ〜７７ｅの値は、入力ボックス７８に数値を直接入力するか、あるいはインジケータ７９を図中左右に移動することで調整することができる。注文用プログラムは、これらの調整部７７ａ〜７７ｅで実施された画像調整に基づいて、画像６５の縮小画像データに画像調整を施し、この画像調整された縮小画像データの画像６５を拡大表示部７２に再生表示する。これにより、顧客とともに調整結果を確認しながら画像調整を行なうことができる。
【００４２】
拡大表示部７２の画像６５の上には、トリミング枠８２が表示されている。このトリミング枠８２のサイズをマウスで変更することによって、プリント範囲を指定することができる。なお、トリミング枠８２の縦横比は、先に説明したプリント注文画面４８で選択されたプリントサイズのアスペクト比に合せて変化させてもよいし、自在に変化させてもよい。
【００４３】
顧客による注文の終了時には、プリント注文画面４８の下部に配置された終了ボタン８５をクリックする。すると、図６に示すように、顧客情報と、注文された画像のファイル名，各画像のプリント枚数及びプリントサイズとから、注文データ８８が生成される。また、各画像に対して行なった画像調整情報やトリミング情報からは、調整データ８９が生成される。これらの注文データ８８と調整データ８９は、新たに作成された注文フォルダ９０に納められて、画像検定用ＰＣ５に送信される。また、注文データ８８は、注文用ＰＣ４内に記憶された顧客データベースの更新にも利用される。
【００４４】
更に、注文データ８８は、カメラ制御用ＰＣ３にも送信される。注文データ８８を受け取ったカメラ制御用ＰＣ３は、プリント指定された縮小画像データに対応する原画像データだけを画像変換用ＰＣ６に送信する。これにより、写真館内のＬＡＮのデータ転送量が減少するため、データ転送にかかる各ＰＣの処理負荷を軽減することができる。なお、注文されなかった原画像データは、この時点でカメラ制御用ＰＣ３から削除してもよい。
【００４５】
画像検定用ＰＣ５の外部記憶装置には、カメラ制御用ＰＣ３から入力された縮小画像データを検定する検定用プログラムがインストールされている。この検定用プログラムは、原画像データをプリント用の画像データに変換する画像変換処理に使用される変換パラメータと、プリント用画像データの画像調整処理に使用される調整パラメータとの調整に用いられる。
【００４６】
図７に示すように、モニタに表示される検定用プログラムの操作画面９２には、検定対象の縮小画像データの画像９３を表示する検定対象画像表示領域９４，複数の縮小画像を並べて表示する縮小画像表示領域９５，及びパラメータ調整領域９６が設けられている。検定対象画像表示領域９４の上側には、検定対象画像９３のタイトル（ファイル名）が表示されたタイトルバー９７が表示される。
【００４７】
画像検定用プログラムは、カメラ制御用ＰＣ３から入力された所定の縮小画像データに対し、調整データ８９と、予め設定されている標準調整パラメータ９８とに基づいて画像調整処理を施す。これにより、検定に用いられる縮小画像データは、顧客の意見が反映されたものとなるため、より、顧客の満足する検定作業を行なうことができる。画像調整処理が施された縮小画像データは、縮小画像１００〜１０３として縮小画像表示領域９５に表示される。この縮小画像表示領域９５で選択された画像は、検定対象画像９３として検定対象画像表示領域９４に表示される。
【００４８】
図に示す例では、縮小画像表示領域９５に４コマ分の縮小画像が表示されているが、同時に表示するコマ数は適宜増減することができる。また、検定対象画像９３に対応する縮小画像１０２の周囲には、選択カーソル１０４がハイライト表示され、検定対象画像９３と縮小画像１０２とが対応づけられる。縮小画像表示領域９５の右側には、上下方向にスクロール移動可能なスクロールバー１０５が設けられる。縮小画像が５コマ以上ある場合には、スクロールバー１０５を上下にスライドすることにより、５コマ目以降の縮小画像を表示することができる。
【００４９】
縮小画像表示領域９５に表示される複数の縮小画像１００〜１０３のうち、検定作業が完了していないもの（図の例では右側２コマ分の縮小画像１０２，１０３）については、白黒表示されている。これとは、逆に、検定が完了した縮小画像（例えば左端から２番目の縮小画像１０１）や、プリント注文されていない検定対象外の縮小画像（例えば最も左側の縮小画像１００）に関しては、フルカラーで表示される。
【００５０】
パラメータ調整領域９６には、標準調整パラメータ９８を変更する「画像調整」と、変換パラメータを変更する「変換条件」の２タイプの変更画面が設けられ、上部に表示される切り替えタブ１０８，１２５を選択することで、各々の変更画面に切り替えられる。「画像調整」のタブが選択されると、パラメータ調整領域９６には画像調整画面１０９が表示される。
【００５１】
画像調整画面１０９には、カラーバランスやブライトネス、コントラストといった標準調整パラメータ９８を変更する多数の調整部１１０ａ〜１１０ｅが設けられている。各調整部１１０ａ〜１１０ｅの値は、注文用ＰＣ４の注文用プログラムで行なった際と同様に、入力ボックス１１１に数値を直接入力するか、あるいはインジケータ１１２を図中左右に移動することで調整することができる。各調整部１１０ａ〜１１０ｅが調整されると、標準調整パラメータ９８が変更され、この変更された標準調整パラメータ９８に基づいて、検定対象画像９３に対応する縮小画像データに対して画像調整処理が施される。これにより、検定対象画像表示領域９４には、常に画像調整済みの検定対象画像９３が表示される。
【００５２】
検定対象画像９３を確認しながら各種調整を行ない、調整内容が決定した後には、「決定」ボタン１１５を操作する。すると、この検定作業によって行なわれた調整内容を表わす変更調整パラメータが生成される。図６に示すように、この変更調整パラメータ１１７は、データファイルとして注文フォルダ９０に納められる。注文フォルダ９０は、全てのプリント指定画像への検定完了後に、画像変換用ＰＣ６に送信される。
【００５３】
なお、本実施形態の画像処理システムでは、通常の運用時には、画像検定用ＰＣ５で変換パラメータの調整は実施されない。これは、一般的な写真館のスタジオは、撮影環境に大きな変化は発生しないため、画像検定用ＰＣ５で全ての画像データの変換パラメータを調整するよりも、次に説明する画像変換用ＰＣ６において、その写真館のスタジオの撮影環境に適正化した変換パラメータを使用したほうが検定効率が向上するからである。
【００５４】
画像変換用ＰＣ６の外部記憶装置には、カメラ制御用ＰＣ３から入力された原画像データに画像変換処理を施し、プリント用画像データを生成する画像変換プログラムがインストールされている。プリント用画像データは、ＰＣによる表示及びプリンタによる画像プリントの可能な、例えばTIFF形式等の画像データからなり、原画像データから解像度を維持したまま変換される。
【００５５】
画像変換用ＰＣ６において、画像変換処理時に用いられる変換パラメータ１２０は、その写真館のスタジオの撮影環境に合せて予め設定されている。この変換パラメータ１２０は、画像変換用ＰＣ６の外部記憶装置に記憶されており、画像変換処理時に読み出されて使用される。このように、撮影環境の変化が少ないスタジオに特定した変換パラメータ１２０を使用することによって、検定作業での変換パラメータ１２０の調整を省略することができるため、検定作業の効率を向上させることができる。
【００５６】
画像変換用ＰＣ６は、画像検定用ＰＣ５から入力された注文データ８８に基づいて、プリントする原画像データを特定し、変更調整パラメータ１１７と変換パラメータ１２０とに基づいて、原画像データに画像変換処理を施す。なお、画像変換用ＰＣ６における画像変換処理は、オペレータによる作業が必要ないため、自動化することができる。
【００５７】
画像変換処理により生成されたプリント用画像データは、ファイル名はそのままで、拡張子が「ｔｉｆ」に変換されて注文フォルダ９０に収納される。これにより、注文フォルダ９０の中に、特定の顧客の撮影により生じたデータが全て収納されるため、焼き増し等の注文を受けたときにも容易に対応することができる。プリント用画像データは、画像変換用ＰＣ６からプリンタ７に出力され、注文を受けたサイズで、注文枚数のプリントが実施される。
【００５８】
次に、図８に示すフローチャートを用いて、本発明の画像処理システムの処理手順について説明する。デジタルカメラ２、またはカメラ制御用ＰＣ３を操作して、デジタルカメラ２の撮影条件を設定する（Ｓ１）。設定された撮影条件に基づき、スタジオ内のデジタルカメラ２で顧客の撮影が行われ、原画像データと縮小画像データとが生成される（Ｓ２）。原画像データと縮小画像データは、入出力Ｉ／Ｆ２８，２９及び通信ケーブル３０によって、カメラ制御用ＰＣ３の外部記憶装置３３に記憶される（Ｓ３）。なお、原画像データと縮小画像データが記録メディア２６に記憶された場合には、後のデジタルカメラ２またはカメラ制御用ＰＣ３の操作によって、外部記憶装置３３に送信される。
【００５９】
カメラ制御用ＰＣ３は、縮小画像データを注文用ＰＣ４と画像検定用ＰＣ５とに送信する（Ｓ４）。注文用ＰＣ４では、図４に示す、注文用プログラムのプリント注文画面４８を使用して、顧客からプリントする画像の注文を受け付ける。また、図５に示す画像調整画面５０を使用して、顧客の希望する画像調整を行なう（Ｓ５）。この注文によって、注文データ８８と調整データ８９とが生成され、注文フォルダ９０に納められて画像検定用ＰＣ５に送信される（Ｓ６）。このように、顧客の注文選択に縮小画像データを使用したので、画像変換処理を待つことなく、撮影完了後すぐに注文の受け付けを行なうことができる。また、注文受付時に顧客の要望に基づいて画像調整を施すことができる。
【００６０】
注文データ８８は、カメラ制御用ＰＣ３にも送信される。カメラ制御用ＰＣ３は、プリント注文された画像に対応する原画像データを画像変換用ＰＣ６に送信する（Ｓ７）。このように、プリント注文された原画像データだけをカメラ制御用ＰＣ３から画像変換用ＰＣ６に送信するようにしたので、データサイズの大きな原画像データの不用な送信によって、各ＰＣにデータ転送による負荷が発生することはない。
【００６１】
画像検定用ＰＣ５は、注文用ＰＣ４から送信された調整データ８９と、予め設定された標準調整パラメータ９８とに基づいて縮小画像データに画像調整処理を施し、その調整後の縮小画像データの画像を縮小画像表示領域９５に一覧表示する（Ｓ８）。これにより、顧客の要望を反映した画像検定を行なうことができる。縮小画像表示領域９５に表示される縮小画像は、検定済みあるいは検定対象から予め除外されたものを除いて白黒表示されているため、検定の必要な画像を容易に識別することができる。
【００６２】
オペレータが縮小画像表示領域９５において選択した画像は、検定対象画像９３として検定対象画像表示領域９４に大きく表示される。オペレータは、画像調整画面１０９の調整部１１０ａ〜１１０ｅを操作して、検定対象画像９３の標準調整パラメータ９８の調整を行なう（Ｓ９）。これにより、変更後の標準調整パラメータ９８に基づいて、検定対象画像９３に対応する縮小画像データに対して画像調整処理が施され、調整後の画像が検定対象画像表示領域９４に更新表示される。オペレータの所望する仕上がりの画像が得られたときに、画像調整が終了する。画像調整が終了して、「決定」ボタン１１５を操作すると、この画像調整の内容を表わす変更調整パラメータ１１７が生成され、注文フォルダ９０に納められて画像変換用ＰＣ６に送信される（Ｓ１０）。
【００６３】
画像変換用ＰＣ６は、注文データ８８に基づいて、プリントする原画像データを特定し、変更調整パラメータ１１７と変換パラメータ１２０とに基づいて、原画像データに画像変換処理を施す（Ｓ１１）。画像変換処理により生成されたプリント用画像データは、注文フォルダ９０に収納される。プリント用画像データは、画像変換用ＰＣ６からプリンタ７に出力され、注文を受けたサイズで、注文枚数のプリントが実施される（Ｓ１２）。完成したプリントは、納品書等とともに顧客に納品される（Ｓ１３）。
【００６４】
このように、予めスタジオの撮影環境に合せて設定された変換パラメータを使用するようにしたので、変換パラメータの調整を省略することができ、検定作業の効率を向上させることができる。また、変換パラメータの調整を行なわないことから、検定作業には縮小画像データを使用することができるので、撮影完了後すぐに検定作業を行なうことができる。また、検定時に画像変換処理を行なう必要がないため、検定作業時間を短くすることができる。
【００６５】
なお、上記実施形態では、画像変換用ＰＣ６において、予め設定された変換パラメータ１２０を使用して原画像データの画像変換処理を行なった。しかし、写真館のスタジオは、標準として想定していた撮影人数に対し、撮影人数が増減した場合等にはライティング等を変更しなくてはならないため、撮影環境が大きく変化してしまう。このようなときには、予め設定された変換パラメータ１２０での画像変換処理では、ホワイトバランスや露出補正等が適性に行なえなくなるため、検定用ＰＣ５において、カメラ制御用ＰＣ３から対象となる原画像データを読み出し、画像検定用プログラムによって変換パラメータの調整を行なう必要がある。
【００６６】
図７において、「変換条件」のタブ１２５が選択されると、図９に示すように、変換条件変更画面１２６が表示される。変換条件変更画面１２６には、例えば、トーンカーブを補正するトーンカーブ補正部１２７，光源や色温度を補正するホワイトバランス補正部１２８，露出補正ボックス１２９及び増感補正ボックス１３０が表示され、マウスによって操作することで、各変換パラメータを変更することができる。
【００６７】
なお、変換パラメータとしては、図９に示すトーンカーブやホワイトバランスのパラメータのみに限定されることはなく、例えばシャープネス補正のパラメータも含めても良い。また、調整パラメータとしては、図７に示したものの他に、例えばトリミング補正のパラメータも含めることができる。さらに、変換パラメータ及び調整パラメータの組み合わせは、本実施形態に列挙されたものに限定されることはなく、その組み合わせは適宜定めることができる。例えば、カラーバランス補正用のパラメータを、変換パラメータとして含めても良い。
【００６８】
上記実施形態では、カメラ制御用ＰＣ３と、注文用ＰＣ４と、画像検定用ＰＣ５と、画像変換用ＰＣ６とを使用したが、各ＰＣにインストールされたプログラムを１台のＰＣにインストールして画像処理システムを構築することもできるし、同じプログラムを複数のＰＣにインストールして処理効率を高めることもできる。
【図面の簡単な説明】
【００６９】
【図１】本発明の画像処理システムの構成を示すブロック図である。
【図２】デジタルカメラとカメラ制御用ＰＣとの構成を示すブロック図である。
【図３】記録メディア内に記録された画像データを示す説明図である。
【図４】注文用プログラムのプリント注文画面の構成を示す説明図である。
【図５】注文用プログラムの画像調整画面の構成を示す説明図である。
【図６】注文フォルダの収納内容を示す説明図である。
【図７】画像検定用プログラムの画像調整時の操作画面を示す説明図である。
【図８】画像処理手順を示すフローチャートである。
【図９】画像検定用プログラムの変換条件調整時の操作画面を示す説明図である。
【符号の説明】
【００７０】
２    デジタルカメラ
３    カメラ制御用ＰＣ
４    注文用ＰＣ
５    画像検定用ＰＣ
６    画像変換用ＰＣ
７    プリンタ
【図１】
2005277944.tif 000003
【図２】
2005277944.tif 000004
【図３】
2005277944.tif 000005
【図４】
2005277944.tif 000006
【図５】
2005277944.tif 000007
【図６】
2005277944.tif 000008
【図７】
2005277944.tif 000009
【図８】
2005277944.tif 000010
【図９】
2005277944.tif 000011